(57)【要約】【課題】熨斗袋に対する孔あけと番号の記載を一挙に行えるようにすることである。【解決手段】袋９０に綴り孔９１をあけるパンチ２と、袋を載せると共にパンチ２の下端部が出没するパンチ穴１ｂを有するステージ１と、ステージに固定され且つ袋を位置決めする袋ガイド３と、袋に番号を表記するナンバリング５と、ナンバリング及びパンチを固定するホルダ６と、を備え、ステージの上にホルダを少なくとも袋の厚み分以上、昇降可能に設け、ホルダの上昇に伴ってナンバリング及びパンチがステージから袋の厚み以上離れ、ホルダの下降に伴ってナンバリングが袋を押圧すると共にパンチが袋を貫通してパンチ穴に没入することを特徴とする孔あけナンバリング装置。【選択図】      図９
2010260716.tif 000002
【特許請求の範囲】
【請求項１】
袋（９０）に綴り孔（９１）をあけるパンチ（２）と、袋（９０）を載せると共にパンチ（２）の下端部が出没するパンチ穴（１ｂ）を有するステージ（１）と、ステージ（１）に固定され且つ袋（９０）を位置決めする袋ガイド（３）と、袋（９０）に番号を表記するナンバリング（５）と、ナンバリング（５）及びパンチ（２）を固定するホルダ（６）と、を備え、
ステージ（１）の上にホルダ（６）を昇降可能に設け、ホルダ（６）の上昇に伴ってナンバリング（５）及びパンチ（２）がステージ（１）から袋（９０）の厚み以上離れ、ホルダ（６）の下降に伴ってナンバリング（５）が袋（９０）を押圧すると共にパンチ（２）が袋（９０）を貫通してパンチ穴（１ｂ）に没入することを特徴とする孔あけナンバリング装置。
【請求項２】
ステージ（１）上で位置決めされた状態の熨斗袋（９０）の左上部又は右上部を孔あけと番号表記の加工領域とし、熨斗袋（９０）の水引（９２）が加工領域に侵入するのを防ぐストッパー（９）を、ステージ（１）の上方に熨斗袋（９０）の厚み分だけ浮かせて保持してあることを特徴とする請求項１記載の孔あけナンバリング装置。
【請求項３】
袋ガイド（３）が熨斗袋（９０）の上辺に接するものと、左辺又は右辺に接するものの二つで構成され、
ストッパー（９）はその両端部を二つの袋ガイド（３、４）に固定することによって、平面視円弧状に湾曲して保持され、その円弧の中心側が、ストッパー（９）自身を境にして加工領域側にあることを特徴とする請求項２記載の孔あけナンバリング装置。
【発明の詳細な説明】
【技術分野】
【０００１】
本発明は、袋に紐通しの綴り孔をあけると共に、番号を表記することのできる孔あけナンバリング装置に関する。
【背景技術】
【０００２】
袋の中でも例えば熨斗袋は、冠婚葬祭の折に用いられる。葬式において、参列者が持参した香典は、受付の係りの者等に渡される。そして、受付とは別の場所に、香典が回収される。回収場所では、香典を包んである熨斗袋に番号を１から順に振っていき、各々の隅角部分に綴り孔をあけ、綴り孔に糸を通しつつ、多数の香典を一まとめに綴じておく。
【０００３】
なお、今回の特許出願にあたって特許調査したところ、番号を振るナンバリング装置を見つけた（特許文献１、２参照）。
【先行技術文献】
【特許文献】
【０００４】
【特許文献１】特開平６−９２００４号公報
【特許文献２】実開平５−８５６６５号公報
【発明の概要】
【発明が解決しようとする課題】
【０００５】
綴り孔をあける作業には、先端の鋭い物、千枚通しのようなものを用いるが、熨斗袋は意外と硬いので、手間がかかる。また、番号を振るのも手作業で、厄介である。
【０００６】
このような手作業に頼っているので、その労力は多大であり、参列者が多いと見込まれる場合には人員を多く手配しておかなければならない。
【０００７】
本発明はこのような実情を考慮してなされたもので、その解決課題は袋に対する孔あけと番号の記載を一挙に行えるようにすることである。
【課題を解決するための手段】
【０００８】
請求項１の発明は、袋に綴り孔をあけるパンチと、袋を載せると共にパンチの下端部が出没するパンチ穴を有するステージと、ステージに固定され且つ袋を位置決めする袋ガイドと、袋に番号を表記するナンバリングと、ナンバリング及びパンチを固定するホルダと、を備え、ステージの上にホルダを昇降可能に設け、ホルダの上昇に伴ってナンバリング及びパンチがステージから袋の厚み以上離れ、ホルダの下降に伴ってナンバリングが袋を押圧すると共にパンチが袋を貫通してパンチ穴に没入することを特徴とする孔あけナンバリング装置である。
【０００９】
ステージの上にホルダを昇降可能に設けるには、例えば、ホルダを上下方向の直線往復運動により昇降可能に設ける構造（ホルダとステージとが分離した別体の構造）や、ホルダを揺動運動により昇降可能に設ける構造（ステージにホルダを軸支する一体の構造）がある。昇降する場合の上昇の程度は、パンチ穴からパンチが出た上で、ステージとパンチの下端との間に袋の厚み以上離れていればよい。
【００１０】
袋は、書類や紙等を入れるものであれば良く、例えば熨斗袋であっても良い。また、孔あけと番号表記の加工領域は問わないが、一箇所に集中しているほうが加工しやすく望ましい。特に、熨斗袋の場合には水引が孔あけと番号表記の加工に邪魔になりやすい。このような場合は次のようにすることが望ましい。
【００１１】
すなわち、請求項２の発明は、ステージ上で位置決めされた状態の熨斗袋の左上部又は右上部を孔あけと番号表記の加工領域とし、熨斗袋の水引が加工領域に侵入するのを防ぐストッパーを、ステージの上方に熨斗袋の厚み分だけ浮かせて保持してあるものである。
【００１２】
ストッパーはその形状及びその配置箇所を問わないが、水引が加工領域に侵入するのを確実に防ぐには次のようにすることが望ましい。すなわち、請求項３の発明は、袋ガイドが熨斗袋の上辺に接するものと、左辺又は右辺に接するものの二つで構成され、ストッパーはその両端部を二つの袋ガイドに固定することによって、平面視円弧状に湾曲して保持され、その円弧の中心側が、ストッパー自身を境にして加工領域側にあることである。
【発明の効果】
【００１３】
本発明は、ホルダを上昇させてから袋をステージに載せ袋ガイドに押し当てれば、袋が袋ガイドによって位置決めされるものである。そして、ホルダに下向きの力を加えて下降させると、袋に対する綴り孔と番号の表記が一挙に行える。従って、同じ作業を繰り返せば、常に同じ位置に、綴り孔及び番号があるので、番号を見やすく袋を糸で綴りやすい。
【００１４】
請求項２の発明は、ストッパーとステージの隙間から熨斗袋を加工領域に差し込めば、熨斗袋の水引がストッパーによって加工領域に侵入するのを防ぐことができる。その結果、水引が邪魔にならず、孔あけと番号表記が安定して行える。
【００１５】
請求項３の発明は、熨斗袋をその上辺と左辺又は右辺の二辺で二つの袋ガイドが位置決めするものであり、この二つの袋ガイドに袋を位置決めしようとすれば、平面視円弧状に湾曲したストッパーとステージの間を必ず通過させなければならず、その結果、熨斗袋の水引が加工領域に侵入するのを確実に防ぐことができる。
【図面の簡単な説明】
【００１６】
【図１】本発明の孔あけナンバリング装置の概要を示す斜視図である。
【図２】孔あけナンバリング装置の分解斜視図である。
【図３】孔あけナンバリング装置の組立図である。
【図４】熨斗袋を孔あけナンバリング装置に載せて使用した状態図である。
【図５】（イ）（ロ）（ハ）図は左側の袋ガイドを示す平面図、右側面図、正面図である。
【図６】（イ）（ロ）（ハ）図はスライドを示す左側面図、平面図、正面図である。
【図７】別例の孔あけナンバリング装置の概要を示す斜視図である。
【図８】別例の孔あけナンバリング装置の分解斜視図である。
【図９】別例の孔あけナンバリング装置の組立図である。
【図１０】図７のＡ方向から見た軸支ピンとネジ等との関係を示す斜視図である。
【図１１】（イ）（ロ）（ハ）図は左側の袋ガイドを示す平面図、右側面図、正面図である。
【発明を実施するための形態】
【００１７】
本発明の孔あけナンバリング装置は、図１〜図３に示すように、その主な構成部品として、熨斗袋（袋）９０を載せるステージ１、袋９０に綴り孔９１をあけるパンチ２、袋９０を位置決めする二つの袋ガイド３、４、袋９０に番号を表記するナンバリング５、ナンバリング５及びパンチ２を固定するスライド（ホルダ）６、スライド６を上下方向の直線往復運動により昇降可能に案内するスライドガイド７、スライド６をステージ１に対して上昇させて保持する二つの弾性部材（圧縮コイルバネ）８、８、熨斗袋９０の水引９２に干渉するストッパー９、スライド６がスライドガイド７から外れるのを防ぐ抜け止めプレート１０を有する。以下、各構成部品、その組み付け構造を順不同に説明する。
【００１８】
ステージ１は、矩形の板である。ここで、説明の便宜上、図４に示すように、袋９０のほぼ上半分をステージ１の表面に載せた位置決め状態を基準として、袋９０の上辺と下辺を行き来する方向をステージ１の前後方向と称し、袋９０の左右方向を通常通りステージ１の左右方向と称する。また、基準となる位置決め状態の袋９０の左上部を孔あけと番号表記の加工領域と称する。
【００１９】
そして、図１〜図３に示すように、基準となる位置決め状態において、袋９０の上辺より前側及び左辺より左側を平面視Ｌ字状に囲む状態に、スライドガイド７と二つの袋ガイド３，４はステージ１に固定されている。具体的には、ステージ１の表面前縁部のうち右縁部を除いた箇所にスライドガイド７を、除いた右縁部に右側の袋ガイド４を、表面左縁部に左側の袋ガイド３をそれぞれ載せてある。スライドガイド７は、袋ガイド３、４よりも高く直立している。そして、ステージ１の裏面側にあけた深座ぐりの抜穴Ｈ１から、スライドガイド７、各袋ガイド３、４の底面にあけたネジ穴Ｈ２に、ボルトＢ１がそれぞれ捩じ込まれている。各抜穴Ｈ１の深座ぐりにボルトＢ１の頭部が収容され、ステージ１の底面は平らになる。
【００２０】
左側の袋ガイド３は図２、図４、図５に示すように、袋９０の左辺上部に右側面が接する細長いブロック状の当接部２１と、袋９０の上辺左端部に後面が接する薄板状の補助当接部２２を備え、当接部２１の前端に補助当接部２２が直角に連続しているものである。この連続部分の内面側（右面側）において、当接部２１は、内側（左側）に凹む空隙２３を備えている。この空隙２３により、袋９０の左上隅角部が確実に補助当接部２２に当たり、袋９０が位置決めされるようにしてある。また、左辺側の袋ガイド３は、当接部２１の上部における後側から内向き（右側）に突出する庇部２４を備え、庇部２４とステージ１との間に袋９０を差し込む隙間を形成してある。庇部２４は、その内側先端に向かって徐々にその下面を高くする勾配が付けてあり、この勾配によって袋９０の左辺を当接部２１に案内しやすくしてある。
【００２１】
また、当接部２１と補助当接部２２との連続部分の上部には、隠蔽片２５を内向きに突出している。隠蔽片２５は、位置決め状態にある袋９０の左上隅角部の上方に位置している。隠蔽片２５に鉛直な貫通穴２６があけてあり、貫通穴２６にパンチ２の先鋭な下端部が上下動可能に収容される。なお、パンチ２の下方には、パンチ穴１ｂがステージ１の表面に形成されている。そして、パンチ２がスライド６と一緒に下がってきた場合には、パンチ穴１ｂにパンチ２の下端部が没入するようになっている。
【００２２】
右側の袋ガイド４は図２に示すように、袋９０の上辺右部に接するブロック状の当接部３１と、当接部３１の上部から内側（後側）に突出する庇部３２を、左辺側の袋ガイド４と同様に備えている。また、右辺側の袋ガイド４は、当接部３１の右側には前側に突出する安定部３３を備え、安定部３３をボルト留めしてある。
【００２３】
スライドガイド７は、スライドブロック本体４１と、二枚の押さえプレート４２、４２とを備える。そして、スライドブロック本体４１と二枚の押さえプレート４２は、口部４３が狭まった平面視コ字状に組み付けられ、そのまま口部４３が後方に向かって開口する状態でステージ１に固定されている。
【００２４】
スライドブロック本体４１は、前片４４と左片４５と右片４６とが平面視コ字状に連続するブロックで、袋ガイド３、４よりも上方に直立している。一方、二枚の押さえプレート４２、４２は、左片４５と右片４６の後面に当てられ、それぞれボルトＢ２で固定されている。二枚の押さえプレート４２は、いずれも口部４３を狭める方向に突出している。このように口部４３が狭まった平面視コ字状に組み付けられたスライドガイド７によって、スライド６はその前端部を前後左右から囲まれて位置決めされ、上下方向にのみ昇降可能となっている。
【００２５】
スライド（ホルダ）６は図１、図２、図６に示すように、スライド本体５１と、スライド本体５１に固定されるパンチ押さえ５２を備える構造である。スライド本体５１は、スライドガイド７に上下動可能に収容される横長の摺動部５３と、摺動部５３の左右から前方に突出する二本の腕部５４とを備える構造である。二本の腕部５４、５４は、左右に対向しており、その間がナンバリング５の下部を収容する空間である。両腕部５４、５４の間にナンバリング５の下部を挿入し、各腕部５４の左右方向外側からナンバリング５をネジＮ１で固定することにより、スライド６にナンバリング５を固定してある。
【００２６】
左側の腕部５４は、その突出長の中間部に保持孔５５を鉛直方向にあけてあり、この保持孔５５に針状のパンチ２の上部を圧入することにより、パンチ２の上部が保持される。また、左側の腕部５４は、パンチ２の下部に相当する箇所を覆わないように左側部分を切除してあり、パンチ２の下部が剥き出しで垂下する状態になっている。左側の腕部５４の上面にはパンチ押さえ５２がボルトＢ３で固定されており、パンチ２の上端面にパンチ押さえ５２の底面が当接して、パンチ２が上方に抜けないようにしてある。
【００２７】
スライド６をスライドガイド７に収容した場合、パンチ２及びナンバリング５を袋９０の上方に配置しておくために、スライド６をステージ１よりも上方に浮かせて支持する構造となっている。そのために、スライド６の各腕部５４の付け根部分にはその底面にバネ受け穴５６が貫通せずに形成されている。一方、ステージ１の表面にも、バネ受け穴１ａが対応して二つ左右に間隔をおいて形成されている。下側の各バネ受け穴１ａに弾性部材である圧縮コイルバネ８の下端部を収容することにより、圧縮コイルバネ８がステージ１の表面よりも上方に突出する形態となる。そして、スライドガイド７にスライド６を収容すると、スライド６のバネ受け穴５６に圧縮コイルバネ８の上端部が収容され、ステージ１とスライド６との間に圧縮コイルバネ８が少し収縮して保持される状態になる。この状態のとき、スライド６はステージ１の表面よりも浮いている。この状態から、圧縮コイルバネ８はさらに収縮可能であって、圧縮コイルバネ８の復元力よりも強い下向きの力がスライド６に対して加われば、スライド６が下降する。
【００２８】
ナンバリング５は市販されているものである。ナンバリング５の概要は図１に示すように、上板の左右から側板が垂下する冂字状のフレーム６１と、フレーム６１の内側に昇降可能に保持される印字部６２と、印字部６２からフレーム６１を突き抜けて上方に突出するレバー６３と、印字部６２を常時上方に引き戻すバネ部材（図示略）とから構成してある。印字部６２の概要は、図示しないが、横軸に対して複数枚の円形の数字盤が貫通しつつ並列するものである。そして、レバー６３を下方に押すと、フレーム６１に対して印字部６２が下がりながら、それまで数字盤の底面に当たっていたインク板が移動し、並列した数字盤の底面が袋９０に当たって、数字盤の数字（番号）が袋９０に表記される。なお、数字が袋９０に表記される前に、パンチ２の先鋭な下端部が袋９０の左上隅角部を貫いて綴り孔９１をあける。レバー６３を押す力を弱めると、バネ部材によって印字部６２が引き戻される際に、数字盤が回転して、数字が一つ大きな値になり、その後、インク板が移動して数字盤の底面に当たって、インクを数字盤に付けるものである。
【００２９】
ストッパー９は図１、図４に示すように、透明な合成樹脂等の薄板で、その両端部が二つの袋ガイド３、４にネジＮ２で固定されている。ストッパー９の一端部は右側の袋ガイド４の左側面に固定され、ストッパー９の他端部は左側の袋ガイド３の後面に固定されている。このように固定されることによって、ストッパー９は、平面視ほぼ１／４の円弧状に湾曲して保持される。この円弧の中心側は、湾曲したストッパー９自身を境にして加工領域側にある。
【００３０】
抜け止めプレート１０は図２、図３に示すように、スライド６が収容されているスライドガイド７の上面にボルトＢ４で固定されている。また、抜け止めプレート１０の下面には、逃げ穴７１がスライド６のパンチ押さえ５２の上方に形成してある。そして、圧縮コイルバネ８をスライド６等の自重で少し収縮させた平常状態のときに、逃げ穴７１にパンチ押さえ５２が収容されており、少しスライド６を上昇させると、スライド６が抜け止めプレート１０に衝突するようになっている。
【００３１】
上述した孔あけナンバリング装置を、以下の手順で使用する。（１）まず、平面視円弧状であるストッパー９が膨らんでいる方向から、熨斗袋９０をステージ１とストッパー９の隙間に差し込むと、ストッパー９の下端面が熨斗袋９０の表面をこすり、ストッパー９とステージ１との間に熨斗袋９０が軽く挟まれた感じになる。（２）さらに深く差し込むと、図４に示すように水引９２の左側の紐９３がストッパー９の外面にあたり、右側の紐９４の方に曲げられ、孔あけや番号を表記する加工領域に侵入できないようになる。また、このときに熨斗袋９０の上辺と、左辺が二つの袋ガイド３、４の当接部２１、３１の内面にそれぞれ当たり、熨斗袋９０が位置決めされた状態になる。
【００３２】
（３）続いて、レバー６３を押し下げると、スライドガイド７に沿ってスライド６が下降し始める。そして、レバー６３が下降するにも関わらず、圧縮コイルバネ８の復元力のため、瞬間的にスライド６が止まり、その間にレバー６３と一緒にナンバリング５の印字部６２が下降する。（４）さらにレバー６３を押し下げると、印字部６２が下がったままスライド６が下降し、パンチ２の下端部が熨斗袋９０の左上隅角部を貫通してパンチ穴１ｂに没入すると共に、印字部６２が熨斗袋９０の表面に強く当たる。（５）レバー６３から手を離すと、圧縮コイルバネ８の復元力のため、スライド６が上昇し、また、印字部６２もスライド６に対して上昇し、元の状態に戻る。（６）熨斗袋９０をステージ１から引き抜くと、綴り孔９１が左上隅角部にあけられ、その近傍に数字（図４では１００１）が印字されていることが確認できる。
【００３３】
図７〜図１０は、別例の孔あけナンバリング装置を示す。これは、ホルダ６を揺動運動により昇降可能に設けるものである。そして、ホルダ６は、ナンバリング５を挟んで固定する左右の腕部５４と、左右の腕部５４の付け根部分を揺動可能に軸支する胴部５７とを備える構造である。
【００３４】
胴部５７は、ブロック状で、その左右側面を貫通する軸支孔５７ａが形成されている。この軸支孔５７ａに一直線に連通する横孔５４ａが、各腕部５４の付け根部分の側面にも形成されている。また、各腕部５４の前面には、横孔５４ａに通じる留め孔５４ｂが形成されている。そして、揺動運動の支点となる軸支ピン５８を軸支孔５７ａ及びその両側の横孔５４ａに通した上で、留め孔５４ｂからネジＮ３を捩じ込むことにより、軸支ピン５８を離脱不能に固定する。このために、軸支ピン５８はその両端部の前面に窪んだ平面状の溝部５８ａを形成してあり、この溝部５８ａにネジＮ３の先端が押し付けられている。
【００３５】
このような軸支ピン５８の中間部が挿通された胴部５７がステージ１に対してネジ留めされる。そのために、胴部５７は、底面にネジ穴が形成されており、ステージ１の底面に形成された深ざぐりの抜穴Ｈ１から、胴部５７をボルトＢ１でネジ留めする。このネジ留め箇所は、ステージ１に対してＬ字状に組みつけられた二つの袋ガイド３、４のうち右側の袋ガイド４よりも前側である。
【００３６】
各腕部５４は、その長手方向中間部の下部を切除した形状とし、揺動運動の下降の際に右側の袋ガイド４に干渉しないようにしてある。また、各腕部５４は、その前端部の前面と底面との隅角部を面取りし、揺動運動の下降の際にステージ１に干渉しないようにしてある。さらに、片側（図では左側）の腕部５４の長手方向中間部に備わる保持孔５５は、鉛直方向に貫通しており、上面側を深ざぐりとしてある。この保持孔５５に取り付けるパンチ２は、その上部がそれより下側よりも大径の段部２ａとなっている段付き形状である。そして、この段部２ａが保持孔５５の深ざぐりの奥部に収容されると共に、パンチ２の下部が保持孔５５の下に突出する。そして、保持孔５５の深ざぐりの入口側にネジＮ４を捩じ込むことにより、パンチ２の上面をネジＮ４で押さえてある。
【００３７】
左右の腕部５４の先部同士の間には、前例と同様にナンバリング５をネジＮ１で固定する。左右の腕部５４同士の間隔を狭めるために、各腕部５４の先部の対向面側を切除して薄肉にしてある。
【００３８】
左側の袋ガイド３は、袋９０の左辺上部に右側面が接する細長いブロック状（直方体状）の当接部２１と、当接部２１の前部の上部から内向きに突出する隠蔽片２５を備える構造である（図１１参照）。隠蔽片２５に形成する貫通穴２６は、ホルダ６の揺動運動によるパンチ２の軌跡を考慮して、パンチ２の直径よりも少なくとも前後方向に長くするため、ここではＵ字形状としてある。そして、ステージ１の上面に形成するパンチ穴１ｂも同様に、パンチ２の直径よりも大きく形成してある。左側の袋ガイド３の右側面には、ナンバリング５を止めるネジＮ１の頭部が干渉しないように、凹溝２７を形成してある。また、右側の袋ガイド４は、袋９０の上辺左部に接する細長いブロック状の当接部３１を備える構造である。なお、ストッパー９の一端部は右側の袋ガイド４の右側面に固定され、ストッパー９の他端部は左側の袋ガイド３の後面に固定されている。
【００３９】
ナンバリング５のレバー６３は、冂字状のフレーム６１を貫通する軸部６３ａと、軸部６３ａの上端部に固定してある大径のツマミ部６３ｂとから構成してある。ナンバリング５は、必要のないときに数字盤が回転しないように（数字が一つ大きな値にならないように）、レバー６３を深く押し下げられないようにすることが望ましい。そのために、軸部６３ａに断面Ｃ字状の印字止め１１を着脱可能に嵌めてある。印字止め１１は、樹脂製で、断面Ｃ字の開口部１１ａの幅を軸部６３ａの直径よりも狭くしてある。印字止め１１は、樹脂の弾性により、着脱可能に嵌り込む。
【００４０】
上述した別例の孔あけナンバリング装置を次の手順で使用する。（１）まず、レバー６３を少し引き上げると、軸支ピン５８を支点にしてホルダ６が上昇し、ステージ１の上に熨斗袋９０の厚み以上の隙間が作られる。（２）次に、熨斗袋９０をステージ１とストッパー９の隙間から差し込んで、熨斗袋９０の上辺と、左辺を二つの袋ガイド３、４の当接部２１、３１の内面にそれぞれ当て、熨斗袋９０を位置決めする。このとき、前例と同様に、水引９２の左側の紐９３がストッパー９の外面にあたり、右側の紐９３の方に曲げられる。（３）続いて、レバー６３を押し下げると、軸支ピン５８を支点にしてホルダ６が下降し、熨斗袋９０の上に腕部５４の底面が乗っかると共に、パンチ２の下部が熨斗袋９０を貫通する。（４）さらに、レバー６３を押し下げると、ナンバリング５の印字部６２が下降して、熨斗袋９０に数字（番号）が印字される。（５）レバー６３を押し下げる力を抜くと、ナンバリング５のバネ部材によって印字部６２が上昇し、元の状態に戻る。
【００４１】
本発明の孔あけナンバリング装置は、上記実施形態に限定されない。例えば、ストッパー９の無いものであってもよい。この場合、袋ガイド３、４の庇部２４、３２が位置決めに役立つ。また、圧縮コイルバネ８は、ステージ１とスライド６の間に保持される形態に限らず、スライド６の左側の腕部５４を少し左側の袋ガイド３の上方に延長し、この延長部分と左側の袋ガイド３の間に保持される形態であっても良い。
【符号の説明】
【００４２】
１ステージ                            １ａバネ受け穴
１ｂパンチ穴                          
２パンチ                              ２ａ段部
３袋ガイド                            ４袋ガイド
５ナンバリング                        ６スライド（ホルダ）
７スライドガイド                      ８圧縮コイルバネ
９ストッパー                          １０抜け止めプレート
１１印字止め                          １１ａ開口部
２１当接部                          ２２補助当接部
２３空隙                            ２４庇部
２５隠蔽片                          ２６貫通穴
２７凹溝
３１当接部                          ３２庇部
３３安定部
４１スライドブロック本体            ４２押さえプレート
４３口部                            ４４前片
４５左片                            ４６右片
５１スライド本体                    ５２パンチ押さえ
５３摺動部                          ５４腕部
５４ａ横孔                          ５４ｂ留め孔
５５保持孔                          ５６バネ受け穴
５７胴部                            ５７ａ軸支孔
５８軸支ピン                        ５８ａ溝部
６１フレーム                        ６２印字部
６３レバー                          ６３ａ軸部
６３ｂツマミ部
７１逃げ穴
９０熨斗袋（袋）                    ９１綴り孔
９２水引                            ９３紐
９４紐
【００４３】
Ｈ１抜穴                            Ｈ２ネジ穴
Ｂ１ボルト                          Ｂ２ボルト
Ｂ３ボルト                          Ｂ４ボルト
Ｎ１ネジ                            Ｎ２ネジ
Ｎ３ネジ                            Ｎ４ネジ
【図１】
2010260716.tif 000003
【図２】
2010260716.tif 000004
【図３】
2010260716.tif 000005
【図４】
2010260716.tif 000006
【図５】
2010260716.tif 000007
【図６】
2010260716.tif 000008
【図７】
2010260716.tif 000009
【図８】
2010260716.tif 000010
【図９】
2010260716.tif 000011
【図１０】
2010260716.tif 000012
【図１１】
2010260716.tif 000013